(57)【要約】【課題】蛍光管の端部を隠蔽するカバー部と表示パネルを支持するパネル支持部との間に設けられている溝部に光学シートを簡易に挿入支持することができる支持体、この支持体を備える光源装置、及び光源装置を備える表示装置を提供する。【解決手段】表示パネル１の周縁部を支持するパネル支持部３１、光学シート２を透過して表示パネル１に光を照射する蛍光管５の端部を隠蔽するカバー部３２及び該カバー部３２とパネル支持部３１との間に配され、光学シート２の周縁部が挿入される溝部３３とが一体に成形されている支持体３に、蛍光管５が保持される保持体７に回動を可能に枢支される枢支部３５を設け、該枢支部３５が嵌合される嵌合部７６を保持体７に設け、支持体３の回動にて光学シート２を溝部３３へ挿入することができるようにした。【選択図】図１
2010164768.tif 000002
【特許請求の範囲】
【請求項１】
表示パネルの周縁部を支持するパネル支持部と、光学シートを透過して前記表示パネルに光を照射する蛍光管の端部を隠蔽するカバー部と、該カバー部及び前記パネル支持部間に配され、前記光学シートの周縁部が挿入される溝部とが一体に成形されている支持体において、前記蛍光管が保持される保持体に回動を可能に枢支される枢支部を備えることを特徴とする支持体。
【請求項２】
前記枢支部は前記溝部の長さ方向中間部に配してある請求項１記載の支持体。
【請求項３】
前記枢支部は前記溝部の長さ方向両端部に配してある請求項１記載の支持体。
【請求項４】
前記枢支部は、前記溝部の外面から突出し、その先端に爪部を有する突片である請求項１又は２記載の支持体。
【請求項５】
前記カバー部は、前記光学シートを前記溝部へ案内するための案内凸部を有する請求項１から４のいずれか一つに記載の支持体。
【請求項６】
複数本の蛍光管と、直方体の箱状をなし、内部に並置される前記蛍光管を保持する保持体と、該保持体の一側部に装着される請求項１から５のいずれか一つに記載の支持体と、前記パネル支持部、カバー部及び溝部が一体に成形され、前記保持体の他側部に装着される第２支持体とを備え、前記枢支部が嵌合される嵌合部を前記保持体に設けてあることを特徴とする光源装置。
【請求項７】
前記嵌合部は前記保持体の一側部に配してある請求項６記載の光源装置。
【請求項８】
前記嵌合部は、前記保持体における一側部及び他側部間の二つの対向側部に配してある請求項６記載の光源装置。
【請求項９】
前記保持体は、前記一側部及び他側部間の二つの対向側部に装着され、前記表示パネルの一部を支持する二つの杆状支持部材を有し、各杆状支持部材の一端部に前記支持体の枢支部が枢支されている請求項６記載の光源装置。
【請求項１０】
一側に表示面を有する表示パネルと、該表示パネルの他側に配されている請求項６から９のいずれか一つに記載の光源装置と、前記支持体の溝部に支持され、前記蛍光管が発光した光を前記表示パネルへ照射する光学シートとを備えることを特徴とする表示装置。
【発明の詳細な説明】
【技術分野】
【０００１】
本発明は液晶表示装置等の表示装置の表示パネル及び光学シートの周縁部を支持するための支持体、前記表示装置の光源として使用される光源装置及びこれを備える表示装置に関する。
【背景技術】
【０００２】
テレビジョン等の表示装置は、画像を表示する表示パネルの裏側に光学シート及び光源装置が配される。
【０００３】
表示装置は、直方体をなす表示パネルと、該表示パネルの周縁部裏側を保持するパネルホルダと、表示パネルの周縁部をパネルホルダに固定するパネル固定枠と、前記パネルホルダの裏側に並べて配され、前記表示パネルに光を照射する複数の蛍光管と、該蛍光管を収容保持する箱形の保持体と、該保持体内の両側部に装着され、前記蛍光管の両端部を隠蔽するカバー部及びシート支持部を有する支持体と、該支持体及び前記パネルホルダの間に配され、その周縁部が前記シート支持部に支持される光学シートとを備える（例えば、特許文献１参照）。
【０００４】
このように構成された表示装置は、内部に蛍光管が並置された箱形をなす保持体の開放側に支持体が配置され、該支持体のカバー部が蛍光管の両端部を隠蔽した後、シート支持部に光学シートの周縁部が載置され、該光学シート上にパネルホルダが載置され、該パネルホルダに表示パネルの周縁部が載置され、該表示パネルにパネル固定枠が載置されることにより組立てられる。
【０００５】
また、直方体をなす表示パネルと、該表示パネルの裏側に並べて配され、表示パネルに光を照射する複数の蛍光管と、該蛍光管を保持する保持体と、該保持体の両側部に装着され、前記蛍光管の両端部を隠蔽するカバー部及び前記表示パネルの周縁部を支持するパネル支持部の間に溝部を有する支持体と、前記溝部に挿入支持される光学シートとを備える表示装置も知られている（例えば、特許文献２参照）。
【先行技術文献】
【特許文献】
【０００６】
【特許文献１】特開２００６−２３５１２７号公報
【特許文献２】特開２００５−３３１９１１号公報
【発明の概要】
【発明が解決しようとする課題】
【０００７】
ところが、特許文献１のように構成された表示装置にあっては、表示パネルの周縁部を保持するパネルホルダと、光学シートの周縁部を支持する支持体とが必要であるため、部品点数が増加し、組立て作業工数も増加することになる。また、近年の表示装置は益々大型化の一途をたどっており、これに対応してパネルホルダも大型化するため、組立て作業性も悪いという問題があった。
【０００８】
また、特許文献２のように構成された表示装置にあっては、蛍光管の両端部を隠蔽するカバー部を有する支持体が表示パネル及び光学シートの周縁部を支持するため、部品点数を低減できる。しかし、前記支持体は、カバー部とパネル支持部との間に溝部があり、該溝部に光学シートの周縁部が挿入されるため、光学シートが組込まれる際、直方形をなす光学シートを湾曲状に撓ませ、該光学シートの一縁部を前記溝部の開放側から溝部内へ滑り込ませるように挿入し、同様に光学シートの他縁部を前記溝部の開放側から溝部内へ滑り込ませるように挿入することになる。因って、表示装置が大型化する程、光学シートの溝部への挿入性及び組込作業性が悪くなり、改善策が要望されていた。
【０００９】
本発明は斯かる事情に鑑みてなされたものであり、主たる目的は蛍光管の端部を隠蔽するカバー部と表示パネルを支持するパネル支持部との間に設けられている溝部に光学シートを簡易に挿入支持することができる支持体、この支持体を備える光源装置、及び光源装置を備える表示装置を提供することにある。
【課題を解決するための手段】
【００１０】
本発明に係る支持体は、表示パネルの周縁部を支持するパネル支持部と、光学シートを透過して前記表示パネルに光を照射する蛍光管の端部を隠蔽するカバー部と、該カバー部及び前記パネル支持部間に配され、前記光学シートの周縁部が挿入される溝部とが一体に成形されている支持体において、前記蛍光管が保持される保持体に回動を可能に枢支される枢支部を備えることを特徴とする。
【００１１】
この発明にあっては、光学シートの周縁部が挿入される溝部を有する支持体を、蛍光管が保持される保持体に回動を可能に枢支することができるため、光学シートを支持体に支持する際、光学シートの一縁部をパネル支持部に載置した状態で支持体を、枢支部を支点として光学シートと離隔する方向へ回動させることにより、パネル支持部の光学シートとの接触位置が順次変わりつつ光学シートの一縁から外れ、光学シートの一縁部が溝部の開放側部分へ乗り移り、この状態で支持体が復帰回動されることにより、溝部に光学シートの一縁部が嵌まり込み、光学シートを支持することができる。因って、枢支部を支点として支持体を回動操作することにより、光学シートを支持体に簡易に支持することができ、光学シートの溝部への挿入性及び組込作業性を高めることができる。
【００１２】
また、本発明に係る支持体は、前記枢支部は前記溝部の長さ方向中間部に配してある構成とするのが好ましい。
この発明にあっては、枢支部にて支持体の湾曲を抑制し、該支持体の剛性を高めることができる。
【００１３】
また、本発明に係る支持体は、前記枢支部は前記溝部の長さ方向両端部に配してある構成とするのが好ましい。
この発明にあっては、支持体を両持状に枢支することができるため、支持体の回動を安定させることができる。
【００１４】
また、本発明に係る支持体は、前記枢支部は、前記溝部の外面から突出し、その先端に爪部を有する突片である構成とするのが好ましい。
この発明にあっては、爪部を嵌合部に係止することにより支持体を枢支することができるため、支持体の枢支を簡易にできる。
【００１５】
また、本発明に係る支持体は、前記カバー部は、前記光学シートを前記溝部へ案内するための案内凸部を有する構成とするのが好ましい。
この発明にあっては、光学シートの一縁部をパネル支持部に載置した状態で支持体を、枢支部を支点として光学シートと離隔する方向へ回動させることにより、パネル支持部が光学シートの一縁から外れたとき、光学シートの一縁部が案内凸部へ乗り移り、この状態で支持体が復帰回動されることにより、案内凸部にて光学シートの一縁部を溝部へスムーズに案内でき、光学シートの一縁部を溝部にスムーズに嵌め込むことができる。
【００１６】
また、本発明に係る光源装置は、複数本の蛍光管と、直方体の箱状をなし、内部に並置される前記蛍光管を保持する保持体と、該保持体の一側部に装着される前述した発明の支持体と、前記パネル支持部、カバー部及び溝部が一体に成形され、前記保持体の他側部に装着される第２支持体とを備え、前記枢支部が嵌合される嵌合部を前記保持体に設けてあることを特徴とする。
この発明にあっては、直方体の箱状をなす保持体の他側部に第２支持体が装着され、保持体の一側部に支持体が回動を可能に枢支されているため、光学シートを支持する際、光学シートの他縁部を第２支持体の溝部へ挿入した状態で光学シートの一縁部を支持体のパネル支持部に載置し、この支持体を、枢支部を支点として光学シートと離隔する方向へ回動させることにより、パネル支持部の光学シートとの接触位置が順次変わりつつ光学シートの一縁から外れ、光学シートの一縁部が溝部の開放側部分へ乗り移り、この状態で支持体が復帰回動されることにより、溝部に光学シートの一縁部が嵌まり込み、光学シートを支持することができる。因って、枢支部を支点として支持体を回動操作することにより、光学シートを支持体に支持することができ、光学シートの溝部への挿入性及び組込作業性を高めることができる。
【００１７】
また、本発明に係る光源装置は、前記嵌合部は前記保持体の一側部に配してある構成とするのが好ましい。
この発明にあっては、直方体をなす保持体の一側部に支持体を枢支することができるため、枢支部にて支持体の湾曲を抑制し、該支持体の剛性を高めることができる。
【００１８】
また、本発明に係る光源装置は、前記嵌合部は、前記保持体における一側部及び他側部間の二つの対向側部に配してある構成とするのが好ましい。
この発明にあっては、直方体をなす保持体の二つの対向側部に支持体を両持状に枢支することができるため、支持体の回動を安定させることができる。
【００１９】
また、本発明に係る光源装置は、前記保持体は、前記一側部及び他側部間の二つの対向側部に装着され、前記表示パネルの一部を支持する二つの杆状支持部材を有し、各杆状支持部材の一端部に前記支持体の枢支部が枢支されている構成とするのが好ましい。
この発明にあっては、直方体をなす表示パネルの一縁部及び他縁部を、支持体及び第２支持体にて支持し、表示パネルの一縁部及び他縁部間の対向する対向縁部を杆状支持部材にて支持することができるため、表示パネルの安定性を高めることができるとともに、保持体の剛性を高めることができる。
【００２０】
また、本発明に係る表示装置は、一側に表示面を有する表示パネルと、該表示パネルの他側に配されている前述した発明の光源装置と、前記支持体の溝部に支持され、前記蛍光管が発光した光を前記表示パネルへ照射する光学シートとを備えることを特徴とする。
この発明にあっては、直方体をなす保持体の他側部に第２支持体が装着され、保持体の一側部に支持体が回動を可能に枢支されているため、光学シートを支持する際、光学シートの他縁部を第２支持体の溝部へ挿入した状態で光学シートの一縁部を支持体のパネル支持部に載置し、この支持体を、枢支部を支点として光学シートと離隔する方向へ回動させることにより、パネル支持部の光学シートとの接触位置が順次変わりつつ光学シートの一縁から外れ、光学シートの一縁部が溝部の開放側部分へ乗り移り、この状態で支持体が復帰回動されることにより、溝部に光学シートの一縁部が嵌まり込み、光学シートを支持することができる。因って、枢支部を支点として支持体を回動操作することにより、光学シートを支持体に支持することができ、光学シートの溝部への挿入性及び組込作業性を高めることができる。
【発明の効果】
【００２１】
以上詳述したように本発明によれば、光学シートの一縁部を支持体のパネル支持部に載置し、この支持体を、枢支部を支点として回動させることにより、光学シートの一縁部を溝部に嵌め込むことができ、光学シートの溝部への挿入性及び組込作業性を高めることができる。
【図面の簡単な説明】
【００２２】
【図１】本発明に係る光源装置が組み込まれている表示装置の構成を示す断面図である。
【図２】光学シートが支持されている光源装置の構成を示す模式的斜視図である。
【図３】本発明に係る表示装置の保持体の構成を示す模式的斜視図である。
【図４】保持体に支持体が枢支されている箇所の構成を示す拡大斜視図である。
【図５】保持体に支持体が枢支されている箇所の構成を示す拡大斜視図である。
【図６】本発明に係る表示装置の支持体の構成を示すもので、(a) は正面図、(b) は平面図、(c) は背面図である。
【図７】本発明に係る表示装置の支持体の構成を示す右側面図である。
【図８】本発明に係る表示装置の光学シートの支持過程を示す説明図である。
【図９】本発明に係る表示装置の光学シートの支持過程を示す説明図である。
【図１０】光学シートが支持されている光源装置の他の構成を示す模式的斜視図である。
【図１１】保持体に支持体が枢支されている箇所の構成を示す断面図である。
【図１２】本発明に係る表示装置の支持体の他の構成を示す一部を省略した斜視図である。
【図１３】本発明に係る表示装置の光学シートが支持されている光源装置の他の構成を示す模式的斜視図である。
【図１４】保持体に支持体が枢支されている箇所の構成を示す断面図である。
【図１５】本発明に係る表示装置の支持体の他の構成を示す一部を省略した斜視図である。
【発明を実施するための形態】
【００２３】
以下本発明をその実施の形態を示す図面に基づいて詳述する。
実施の形態１
図１は本発明に係る光源装置が組み込まれている表示装置の構成を示す断面図、図２は光学シートが支持されている光源装置の構成を示す模式的斜視図である。
【００２４】
この表示装置は、テレビ画像を表示する表示パネル１と、該表示パネル１の裏側に配置された光源装置Ａと、該光源装置Ａ及び表示パネル１の間に配置された光学シート２と、表示パネル１及び光学シート２の周縁部を支持する支持体３及び杆状支持部材４と、表示パネル１の周縁部前側を被覆する四角形をなすフロントキャビネット９と、光源装置Ａを被覆するバックキャビネット１０とを備える液晶テレビジョン、換言すれば液晶表示装置である。
【００２５】
表示パネル１は、前側に画像表示面を有し直方体をなすパネル本体１１と、該パネル本体１１の周縁部前側を保持する枠体１２とを備え、複数のボルトにより枠体１２が光源装置Ａの後記する保持体に取着されている。枠体１２は表示パネル１の周縁部前面と対向する環板部１２ａと、該環板部１２ａの外端から後方へ向けて延出されている枠部１２ｂとを有し、環板部１２ａの内側に、表示パネル１１の前面に接触する帯状の弾性部材１３が貼付けられている。
【００２６】
光学シート２は反射偏光板、プリズムシート、拡散シート等の比較的薄肉の合成樹脂シート２１と、比較的厚肉の拡散板２２とが積層された積層シートであり、表示パネル１に対応する大きさの直方体をなし、周縁部後面が支持体３及び杆状支持部材４に接触している。
【００２７】
光源装置Ａは、縦に離隔して並置される複数の蛍光管５と、該蛍光管５を収容し、蛍光管５の両端部をランプホルダ６にて保持する直方体の箱形をなす保持体７とを有する。
【００２８】
蛍光管５は両端部に電極を有する冷陰極管または熱陰極管であり、夫々の蛍光管５の電極にインバータ回路基板が接続され、パルス幅変調信号により明るさが制御されるように構成されている。
【００２９】
図３は保持体の構成を示す模式的斜視図、図４及び図５は保持体に支持体が枢支されている箇所の構成を示す拡大斜視図である。保持体７は略直方体をなし、前側が開放されている箱部７１と、該箱部７１の周壁端縁から外方へ延出され、二つの支持体３，３、及び二つの杆状支持部材４，４が取付けられる第１〜第４の取付片７２〜７５とを有する。箱部７１の内面は、蛍光管５が発光した光を箱部７１の開放側へ反射させるべき反射面になっている。この反射面はコーティング層及び反射シートを含んでいる。また、箱部７１の後壁に回路基板等の電気部品が取付けられている。
【００３０】
箱部７１の長さ方向両側に配された第１及び第２の取付片７２，７３には、支持体３の後記する枢支部が嵌合される複数の嵌合部７６が設けられている。嵌合部７６は、取付片７２，７３の長さ方向中央部と、該中央部から長さ方向両側へ離隔した二つの位置との合計３箇所に設けられている。第１及び第２の取付片７２，７３には、前記３箇所の端縁から後方へ延出された延出片７６ａが設けられており、該延出片７６ａの基部に貫通孔７６ｂを開設することにより、延出片７６ａの先端部に嵌合部７６が形成されている。
【００３１】
第１及び第２の取付片７２，７３の長さ方向両端部と、箱部７１の幅方向両側に配された第３及び第４の取付片７４，７５の複数箇所には、支持体３を雄螺子にて取付けるための第１の取付孔７７と、枠体７１を雄螺子にて取付けるための第２の取付孔７８とが開設され、前記第１及び第２の取付片７２，７３の長さ方向中央部には前記枠体７１を雄螺子にて取付けるための第２の取付孔７８が開設されている。
【００３２】
図６は支持体の構成を示すもので、(a) は正面図、(b) は平面図、(c) は背面図である。図７は支持体の構成を示す右側面図である。
【００３３】
支持体３は、表示パネル１の長さ方向端縁部を支持するパネル支持部３１と、蛍光管５の端部を隠蔽するカバー部３２と、該カバー部３２及びパネル支持部３１間に配され、光学シート２の長さ方向端縁部が挿入される溝部３３と、該溝部３３の外面からパネル支持部３１と反対方向へ突出する被取付片３４と、該被取付片３４の一部から突出する枢支部３５とを有し、ポリカーボネート等の高反射性を有する合成樹脂材にて一体に成形されている。この支持体３は保持体７の長さ方向両側に配され、第１及び第２の取付片７２，７３の嵌合部７６に回動を可能に枢支され、表示パネル１及び光学シート２の長さ方向両縁部を支持するとともに、蛍光管５の両端部を隠蔽している。
【００３４】
カバー部３２は、蛍光管５の長さ方向に対して傾斜状に配される略矩形をなし、幅方向一縁部には蛍光管５の並置間隔に対応した複数の凹部３２ａを有し、凹部３２ａ夫々に蛍光管５の端部が配されることにより蛍光管５の端部及びランプホルダ６を隠蔽し、保持体７内の輝度を高めることができるように構成されている。
【００３５】
カバー部３２の幅方向他縁部には、光学シート２の縁部を溝部３３へ案内する複数の案内凸部３２ｂが長さ方向に離隔して設けられている。
【００３６】
カバー部３２の幅方向他縁は溝部３３に連なる。溝部３３は、カバー部３２の幅方向他縁から蛍光管５の長さ方向へ延出され、光学シート２の縁部を支持するシート受部３３ａと、該シート受部３３ａから表示パネル１側へ屈曲され、光学シート２の長さ方向への移動を規制する規制部３３ｂと、該規制部３３ｂからシート受部３３ａと対向する側へ屈曲するパネル支持片３３ｃとにより断面コ字形をなしており、パネル支持片３３ｃの外面がパネル支持部３１を構成している。また、溝部３３の両端には、杆状支持部材４の両端に係合する係合凹部３３ｄが設けられている。
【００３７】
パネル支持部３１には表示パネル１の後面に接触する帯状の弾性部材３６が貼付けられている。
【００３８】
被取付片３４は第１及び第２の取付片７２，７３と対向しており、該被取付片３４の長さ方向へ離隔した複数箇所に、第２の取付孔７８に対応する貫通孔３７が開設されている。また、被取付片３４の長さ方向中央部には回動操作部３４ａが設けられている。
【００３９】
枢支部３５は被取付片３４の一部から突出し、その先端に爪部を有する板状の突片３５ａからなり、嵌合部７６と対応する３箇所、換言すると被取付片３４の長さ方向中央部と、該中央部から長さ方向両側へ離隔した二つの位置との合計３箇所に設けられており、延出片７６ａの貫通孔７６ｂに挿入された突片３５ａの爪部が嵌合部７６に係止されることにより、支持体３が保持体７に装着され、枢支部３５を支点として支持体３を回動可能としてある。
【００４０】
以上のように構成された支持体３は、保持体７の長さ方向両側に配され、表示パネル１及び光学シート２の長さ方向両縁部を支持するとともに、蛍光管５の両端部を隠蔽している。一方の支持体３は、第１の取付片７２における延出片７６ａの貫通孔７６ｂに枢支部３５が挿入され、該枢支部３５が嵌合部７６に係止されることにより回動が可能になっており、他方の支持体３は、第２の取付片７３における延出片７６ａの貫通孔７６ｂに枢支部３５が挿入され、該枢支部３５が嵌合部７６に係止されることにより回動が可能になっている。この第２の取付片７３に装着される支持体が第２の支持体を構成している。
【００４１】
杆状支持部材４は、第３及び第４の取付片７４，７５と対向する長杆状部４１と、該長杆状部４１の両端に連なり、第１及び第２の取付片７２，７３の両端部と対向する短杆状部４２，４２とを有する略コ字形をなし、係合凹部３３ｄに対応する係合凸部４２ａが両端部に設けられており、係合凸部４２ａが係合凹部３３ｄに係合した状態では支持体３を第３及び第４の取付片７４，７５に押付けることができるように構成されている。
【００４２】
長杆状部４１及び短杆状部４２には、第１及び第２の取付孔７７，７８に対応する第１及び第２の挿通孔４３，４４が開設されており、第１の挿通孔４３に挿入される雄螺子が第１の取付孔７７に捩込まれることにより保持体７に取付けられている。また、長杆状部４１及び短杆状部４２はパネル支持部３１とほぼ面一であり、表示パネル１の後面に接触する帯状の弾性部材が長杆状部４１及び短杆状部４２に貼付けられている。
【００４３】
以上のように構成された表示装置の組立ては例えば次の(1) 〜(7) の工程で行う。図８及び図９は光学シートの支持過程を示す説明図である。
(1) 作業台上に開放縁が上向となるように平置きされた保持体７の箱部７１内に蛍光管５が並べて組込まれ、蛍光管５の両端部がランプホルダ６にて箱部７１内に保持される。
(2) 保持体７における第１及び第２の取付片７２，７３に支持体３が夫々載置され、支持体３の枢支部３５が、第１及び第２の取付片７２，７３に連なる延出片７６ａの貫通孔７６ｂに挿入され、枢支部３５の爪部が嵌合部７６に係止される。この係止により、支持体３は枢支部３５を支点として回動が可能に装着され、光源装置Ａとなる。
(3) 光学シート２の他縁部が、第２の取付片７３に装着されている他方の支持体３の溝部３３に挿入され、光学シート２の一縁部が、図８に示すように第１の取付片７２に装着されている一方の支持体３のパネル支持部３１に載置される。この際、光学シート２は一縁部から他縁部に亘って蛍光管５に対して傾斜する。この状態で、一方の支持体３の回動操作部３４ａを指で押圧することにより、図９に示すように一方の支持体３が枢支部３５を支点として、光学シート２から離隔する方向へ回動し、パネル支持部３１の光学シート２との接触位置が順次変わりつつ光学シート２の一縁から外れ（図９参照）、光学シート２の一縁部がカバー部３２側へ移行し（図９の鎖線参照）、該カバー部３２の案内凸部３２ｂに接触する。この状態で指を回動操作部３４ａから外すことにより、光学シート２の一縁側の荷重にて一方の支持体３が復帰回動し、溝部３３に光学シート２の一縁部が嵌まり込み、光学シート２を蛍光管５と平行的に支持することができる。
(4) 保持体７における第３及び第４の取付片７４，７５に杆状支持部材４が夫々載置され、該杆状支持部材４の両端に設けられている係合凸部４２ａが、支持体３の両端に設けられている係合凹部３３ｄに係合し、杆状支持部材４の第１の挿通孔４３に雄螺子が挿入され、該雄螺子が第１の取付孔７７に捩込まれることにより、杆状支持部材４，４が保持体７に取付けられる。この際、係合凸部４２ａから係合凹部３３ｄを介して各支持体３が取付片７２，７３に押付けられ、各支持体３が固定される。
(5) 二つの支持体３のパネル支持部３１、及び二つの杆状支持部材４上に表示パネル本体１１が載置される。
(6) 表示パネル本体１１上に枠体１２が載置され、該枠体１２に開設されている孔から第２の挿通孔４４に挿入される雄螺子が、第２の取付孔７８に捩込まれることにより、枠体１２と支持体３及び杆状支持部材４との間でパネル本体１１の周縁部が挾着され、表示パネル１と光源装置Ａとが一体となる。
(7) スタンドにより表示パネル１及び光源装置Ａが作業台上に起立された後、表示パネル１の前側にフロントキャビネット９が被嵌され、光源装置Ａの後側にバックキャビネット１０が被嵌される。
【００４４】
以上のように光学シート２を組込む際、該光学シート２の他縁部を他方の支持体３の溝部３３に挿入し、光学シート２の一縁部を一方の支持体３のパネル支持部３１に載置した状態で、一方の支持体３を回動操作することにより、光学シート２の一縁部を一方の支持体３の溝部３３に挿入することができるため、光学シート２の組込作業効率を高めることができる。しかも、蛍光管５の端部を隠蔽し、且つ光学シート２を支持する支持体３がパネル支持部３１を有し、該パネル支持部３１が表示パネル１の後側を保持しているため、表示パネル１の後側を保持する専用の保持部材が不必要であり、部品点数を低減できる。
【００４５】
実施の形態２
図１０は光学シートが支持されている光源装置の他の構成を示す模式的斜視図、図１１は保持体に支持体が枢支されている箇所の構成を示す断面図、図１２は支持体の他の構成を示す一部を省略した斜視図である。この光源装置Ａは、箱部７１の幅方向内側寸法に対応する長さに形成され、パネル支持部３１、カバー部３２及び溝部３３を有する支持体３を第１及び第２の取付片７２，７３に夫々載置し、第３及び第４の取付片７４，７５に対応する長さに形成され、パネル支持部を有する杆状支持部材４を第３及び第４の取付片７４，７５に夫々装着し、支持体３の両端に枢支部３８を設け、該枢支部３８が嵌合される嵌合部７９を、保持体７における箱部７１の幅方向両側壁７１ａに設けている。
【００４６】
支持体３は被取付片３４がなく、カバー部３２の凹部３２ａ側一縁が箱部７１の後壁内面に当接し、枢支部３８を支点として回動を可能に装着されている。枢支部３８は、溝部３３の両端からパネル支持部３１と反対方向へ突出し、その先部に外向きの枢軸３８ｂを有する板状の突片３８ａからなる。
【００４７】
嵌合部７９は、保持体７における箱部７１の幅方向両側壁７１ａに開設された軸孔からなり、該嵌合部７９に、枢支部３８の枢軸３８ｂが嵌合されることにより、支持体３を保持体７の箱部７１に回動を可能に装着してある。尚、二つの側壁７１ａが対向側部を構成している。
【００４８】
杆状支持部材４は雄螺子にて第３及び第４の取付片７４，７５に固定される。
【００４９】
この実施の形態にあっては、支持体３の長さ方向中央部に設けられている回動操作部を指で押圧することにより、支持体３が枢支部３８を支点として、光学シート２から離隔する方向へ回動する。また、光学シート２の一縁側の荷重にて支持体３が復帰回動するとき、カバー部３２における凹部３２ａ側の一縁が箱部７１の内面に当接し、復帰回動が規制される。
その他の構成及び作用は実施の形態１と同様であるため、同様の部品については同じ符号を付し、その詳細な説明及び作用効果の説明を省略する。
【００５０】
実施の形態３
図１３は光学シートが支持されている光源装置の他の構成を示す模式的斜視図、図１４は保持体に支持体が枢支されている箇所の構成を示す断面図、図１５は支持体の他の構成を示す一部を省略した斜視図である。この光源装置Ａは、図１０〜図１２に示す実施の形態２における一方の支持体３を、箱部７１の側壁７１ａに設けられた嵌合部７９に枢支する代わりに、保持体７の第３及び第４の取付片７４，７５に装着され、パネル支持部を有する杆状支持部材４，４の両端部に枢支したものである。
【００５１】
支持体３は、箱部７１の幅方向内側寸法に対応する長さ、換言すると杆状支持部材４，４の離隔距離に対応する長さに形成され、パネル支持部３１、カバー部３２、溝部３３及び枢支部３９を有する。枢支部３９は、溝部３３の両端からパネル支持部３１と反対方向へ突出し、その先部に外向きの枢軸３９ｂを有する板状の突片３９ａからなる。支持体３は被取付片３４がなく、カバー部３２の凹部３２ａ側一縁が箱部７１の後壁内面に当接し、枢支部３９を支点として回動を可能に装着されている。
【００５２】
杆状支持部材４，４は第３及び第４の取付片７４，７５に対応する長さに形成され、雄螺子にて第３及び第４の取付片７４，７５に固定され、該杆状支持部材４，４と箱部７１とが保持体７を構成する。杆状支持部材４，４の両端部内側面には、枢軸３９ｂに対応する軸孔からなる嵌合部４５が設けられており、枢支部３９の枢軸３９ｂが嵌合部４５に嵌合されることにより、支持体３を保持体７に回動を可能に装着してある。
【００５３】
この実施の形態にあっては、支持体３の長さ方向中央部に設けられている回動操作部を指で押圧することにより、支持体３が枢支部３９を支点として、光学シート２から離隔する方向へ回動する。また、光学シート２の一縁側の荷重にて支持体３が復帰回動するとき、カバー部３２における凹部３２ａ側の一縁が箱部７１の内面に当接し、復帰回動が規制される。
その他の構成及び作用は実施の形態１、２と同様であるため、同様の部品については同じ符号を付し、その詳細な説明及び作用効果の説明を省略する。
【００５４】
尚、以上説明した実施の形態では、直方体の箱状をなす保持体７の一側部及び他側部に配される二つの支持体３，３を等しい構成とし、いずれか一方の支持体３を回動操作することにより、一方の支持体３だけを回動させるように構成したが、その他、他方の支持体３は、枢支部３５、３８、３９がなく、非回動の構成としてもよい。
【００５５】
また、以上説明した実施の形態では、突片３５ａを有する枢支部３５、突片３８ａを有する枢支部３８、突片３９ａを有する枢支部３９としたが、その他、枢支部３５、３８、３９は突片３５ａ、３８ａ、３９ａの途中に薄肉ヒンジを有し、突片３５ａ、３８ａ、３９ａの先端部が保持体７に固定される構成としてもよい。また、枢支部３５、３８、３９は突片を有する構成である他、凸形をなす嵌合部が挿入される孔形状であってもよく、枢支部３５、３８、３９の構成は特に制限されない。
【符号の説明】
【００５６】
１    表示パネル
２    光学シート
３    支持体（第２支持体）
３１  パネル支持部
３２  カバー部
３２ｂ  案内凸部
３３  溝部
３５、３８、３９  枢支部
３５ａ、３８ａ、３９ａ  突片
４    杆状支持部材
５    蛍光管
７    保持体
７６、７９、４５  嵌合部
７１  箱部
７１ａ  側壁（対向側部）
Ａ    光源装置
【図１】
2010164768.tif 000003
【図２】
2010164768.tif 000004
【図３】
2010164768.tif 000005
【図４】
2010164768.tif 000006
【図５】
2010164768.tif 000007
【図６】
2010164768.tif 000008
【図７】
2010164768.tif 000009
【図８】
2010164768.tif 000010
【図９】
2010164768.tif 000011
【図１０】
2010164768.tif 000012
【図１１】
2010164768.tif 000013
【図１２】
2010164768.tif 000014
【図１３】
2010164768.tif 000015
【図１４】
2010164768.tif 000016
【図１５】
2010164768.tif 000017